(57)【要約】  本発明は、哺乳瓶の胴体を二つに分離して構成することによって、洗浄時における清潔性及び利便性を提供することができる分離型哺乳瓶に関する。本発明の分離型哺乳瓶は、上部本体、下部本体、及び連結具を含む。上部本体は、管形状を有し、一端部の外周面と他端部から一定距離だけ離隔した外周面とにそれぞれネジ部が提供されている。下部本体は、ボウル（bowl）形状を有し、開口された一端部が上部本体の他端部の外周に嵌められ、開口された一端部の外周に沿って係止段が提供されている。連結具は、管形状を有し、一端部が下部本体の係止段に係合されるとともに上部本体の外周に結合されるように、一端部には係止段が提供され、内周面には上部本体の他端部側のネジ部と噛み合うネジ部が提供されている。上部本体は、ネジ部の下端から他端部までが中心軸に向かって傾斜していて、内径が他端部に行くにつれて縮小されている。下部本体は、容易な形態の変形のために、上部本体の材質よりも柔軟な材質で形成されている。かかる構成の本発明によれば、哺乳瓶の内部を綺麗に洗浄できて衛生的であり、かつ洗浄時に使用者に利便性を提供することができる。
2010532698.tif 000002
【特許請求の範囲】
【請求項１】
分離型哺乳瓶において、
管形状を有し、一端部の外周面と他端部から一定距離だけ離隔した外周面とにそれぞれネジ部３２、３６が形成されている上部本体３０；
ボウル（bowl）形状を有し、開口された一端部が上記上部本体３０の他端部の外周に嵌められ、上記開口された一端部の外周に沿って係止段４２が形成されている下部本体４０；及び、
管形状を有し、一端部が上記下部本体４０の係止段４２に係合されるとともに上記上部本体３０の外周に結合されるように、一端部には係止段５４を有し、内周面には上記上部本体３０の他端部側のネジ部３６と噛み合うネジ部５２を有している連結具５０；を含み、
上記上部本体３０は、上記ネジ部３６の下端から他端部までが中心軸に向かって傾斜していて、内径が他端部に行くにつれて縮小されていることを特徴とする分離型哺乳瓶。
【請求項２】
上記下部本体４０は、容易な形態の変形のために、上記上部本体３０の材質よりも柔軟な材質で形成されていることを特徴とする請求項１に記載の分離型哺乳瓶。
【発明の詳細な説明】
【発明の詳細な説明】
【０００１】
［技術分野］
本発明は、分離型哺乳瓶に関し、より詳しくは、哺乳瓶の胴体を二つに分離して構成することによって、洗浄時における清潔性及び利便性を提供することができる分離型哺乳瓶に関する。
［背景技術］
一般に哺乳瓶は、乳児への授乳のために使用する。
【０００２】
添付図面のうち、図３には、従来技術による哺乳瓶１０が示されている。
図３を参照すれば、哺乳瓶１０は、一側が開口された円筒形状を有し、内部空間１１ｂに牛乳又は粉ミルクなどが入れられる本体１１と、本体１１に分離可能に結合される乳首連結具１２と、一端が乳首連結具１２に受け止められて連結される乳首１３と、乳首連結具１２を覆うための蓋１４とを含む。
【０００３】
本体１１の開口された一端の外周面には、所定のネジ部１１ａが形成されている。乳首連結具１２の内側には、本体１１のネジ部１１ａに係合するようにネジ部１２ａが提供されている。乳首１３は、衛生的なゴム部材などで形成される。蓋１４の開口された一端の内周面には、係止段１４ａが形成されている。
【０００４】
このような哺乳瓶１０を使用して乳児に授乳を行う時は、乳首連結具１２を本体１１から分離し、一定量の粉ミルクなどを本体１１の内部に入れた後、本体１１の内部に温水を注入して、粉ミルクとよく混合されるようにする。
【０００５】
そして、授乳後には、本体１１から乳首連結具１２を分離して、それぞれを洗浄し、殺菌／消毒を施した後、乾燥させて再使用する。牛乳などの残液は、哺乳瓶の内部にこびり付きやすいので、哺乳瓶の洗浄は衛生上非常に重要である。従って、哺乳瓶の本体１１の内部を洗浄用ブラシなどで洗浄した後、哺乳瓶を熱湯に入れたり電子レンジなどを利用したりして殺菌／消毒を行うのである。
【０００６】
しかし、従来の哺乳瓶を洗浄する場合には、構造上、本体１１の内部の上部及び下部に洗浄用ブラシが届き難かったり密着出来なかったりして、内部空間１１ａを綺麗に洗浄することが難しいという問題点があった。また、本体１１の開口部分が狭くて、使用者が哺乳瓶の内部に手を入れて洗浄することも難しかった。
［発明の開示］
本発明は上記のような問題点を解決するために案出されたものであり、その目的は、胴体を二つに分離して構成することによって、使用者に、洗浄時における清潔性及び利便性を与えることができる分離型哺乳瓶を提供することにある。
【０００７】
上記の目的を達成するために、本発明による分離型哺乳瓶は、
管形状を有し、一端部の外周面と他端部から一定距離だけ離隔した外周面とにそれぞれネジ部が形成されている上部本体；
ボウル（bowl）形状を有し、開口された一端部が上部本体の他端部の外周に嵌められ、開口された一端部の外周に沿って係止段が形成されている下部本体；及び、
管形状を有し、一端部が下部本体の係止段に係合されるとともに上部本体の外周に結合されるように、一端部には係止段を有し、内周面には上部本体の他端部側のネジ部と噛み合うネジ部を有している連結具；を含み、
上部本体は、他端部側のネジ部の下端から他端部までが中心軸に向かって傾斜していて、内径が他端部に行くにつれて縮小されている。
【０００８】
望ましくは、下部本体は、容易な形態の変形のために、上部本体の材質よりも柔軟な材質で形成される。
このように構成された本発明によれば、哺乳瓶を綺麗に洗浄できて衛生的であり、かつ洗浄時に使用者に利便性を提供することができる。
【図面の簡単な説明】
【０００９】
【図１】本発明による哺乳瓶の断面図である。
【図２】図１に示された哺乳瓶の部分分解断面図である。
【図３】従来技術による哺乳瓶の断面図である。
【発明を実施するための形態】
【００１０】
以下、添付図面を参照しながら本発明の望ましい実施例を詳しく説明する。
添付図面のうち、図１及び図２には本発明による哺乳瓶が示されている。
図１を参照すれば、分離型哺乳瓶は、乳首組立体２０、上部本体３０、下部本体４０、及び連結具５０を含んでいる。また、図示されていないが、乳首組立体２０を覆うための蓋が提供され得る。
【００１１】
乳首組立体２０は、乳首連結具２２に乳首２４の一端部が結合してなる。乳首連結具２２の内周面にはネジ部２６が提供されている。
上部本体３０はほぼ管形状であり、上端部の外周面と下端部から一定距離だけ離隔した外周面とには、ネジ部３２、３６がそれぞれ提供されている。図面上、上部本体３０の上端部に形成されているネジ部３２には、乳首連結具２２のネジ部２６が結合される。図面上、上部本体３０の下端部は、中心軸に向かって傾斜して形成されている。即ち、上部本体３０のネジ部３６の下側部分は内向きとなっていて、上部本体３０は下端部に行くにつれて内径が縮小される。
【００１２】
下部本体４０は、ほぼボウル形状を有し、開口された一側が上部本体３０の下端部の外周に嵌められている。下部本体４０の開口された一側には、外周に沿って係止段４２が形成されている。下部本体４０は、容易な形態の変形のために柔軟な材質で形成される。即ち、上部本体３０は一般的な哺乳瓶の材質で形成されるが、下部本体４０は上部本体３０よりも軟性の材質で形成される。下部本体４０を軟性材質で構成すれば、内容物の残量が僅かな場合に、下部本体４０を使用者が手で押圧することで、内容物の排出を促進することができる。
【００１３】
連結具５０は、上部本体３０と下部本体４０とを連結するためのもので、ほぼ管形状を有し、上部本体３０の外側に螺合されている。即ち、連結具５０の内周面には、上部本体３０のネジ部３６と噛み合うように、ネジ部５２が形成されている。連結具５０の一端には、下部本体４０の係止段４２に係合するように係止段５４が形成されている。
【００１４】
上記のように構成された哺乳瓶の分離及び結合動作について説明すれば、次の通りである。
まず、哺乳瓶を結合する場合には、下部本体４０の内側に上部本体３０の下端部を嵌め込んだ後、連結具５０を下部本体４０側から上部本体３０側へと結合させる。その後、上部本体３０と下部本体４０とが嵌合された状態で、連結具５０のネジ部５２を上部本体３０のネジ部３６に螺合させる。
【００１５】
この時、連結具５０の係止段５４が下部本体４０の係止段４２に係合されるので、上部本体３０と下部本体４０とはより一層密着して結合される。
一方、上部本体３０の下端部は傾斜しているので、使用者は、結合初期に下部本体４０との結合を容易に行うことができ、下部本体４０が上部本体３０の下端部の傾斜面に沿って押し上げられることによって一層密着結合され得る。
【００１６】
以後、哺乳瓶を分離する場合は、上部本体３０と連結具５０との螺合を解除してから下部本体４０を上部本体３０から分離すればよい。
一方、このような分離型哺乳瓶は、本発明の実施例では哺乳瓶としてのみ説明したが、イオン飲料などを入れるリフィル用の瓶として利用することもできる。
【００１７】
以上説明した通り、本発明による分離型哺乳瓶は胴体が分離可能であるので、使用者が内部に手や洗浄用ブラシを容易に入れることができて、哺乳瓶を綺麗に洗浄することができる。
【００１８】
以上、本発明を望ましい実施例に基づいて説明したが、本発明はこれに限定されるものではなく、本発明の属する技術分野における通常の知識を有する者による特許請求の範囲に記載の要旨を逸脱しない範囲内での多様な変更又は変形が可能であることは勿論である。
【図１】
2010532698.tif 000003
【図２】
2010532698.tif 000004
【図３】
2010532698.tif 000005
【国際調査報告】
2010532698.tif 000006
2010532698.tif 000007